(57)【特許請求の範囲】
【請求項１】
コイル巻回用胴部と該コイル巻回用胴部の軸線方向の一端側に設けられた鍔板部とを有する一次ボビンと、前記一次ボビンの鍔板部に取り付けられた対の一次端子金具及び高圧側二次端子金具と、前記一次ボビンのコイル巻回用胴部に巻回されて一端及び他端がそれぞれ前記対の一次端子金具の一方及び他方に接続された一次コイルと、前記一次コイルを囲むように配置された二次ボビンと、前記一次ボビンの他端側に位置する前記二次ボビンの一端に取り付けられた低圧側二次端子金具と、前記二次ボビンに巻回されて巻き始め側の端末部が前記低圧側二次端子金具に接続されるとともに巻き終わり側の端末部が前記高圧側二次端子金具に接続された二次コイルとを有する点火コイルと、内燃機関の点火時期に前記点火コイルの二次コイルに点火用の高電圧を誘起させるように前記点火コイルの一次電流を制御する一次電流制御回路の構成部品をプリント基板に実装してなる点火ユニットとを備え、点火電源の非接地側の出力端子が接続される電源接続用端子電極と前記一次コイルの一端及び他端に接続される対の一次端子電極とアース線が接続されるアース端子電極とが前記点火ユニットのプリント基板の一端側に並べて設けられていて、前記点火コイルの対の一次端子金具が前記プリント基板の対の一次端子電極に半田付けされ、前記点火コイルの二次コイルの巻き始め側の端末部は前記プリント基板のアース電極に電気的に接続される内燃機関用点火装置において、
前記アース端子電極に一端がつながり、他端が前記点火コイルの低圧側二次端子金具の近傍に達するアースパターンを前記プリント基板に設けて、該アースパターンの他端側に二次コイル用アース電極を形成し、前記点火コイルの低圧側二次端子金具を前記二次コイル用アース電極に直接半田付けしたことを特徴とする内燃機関用点火装置。
【請求項２】
前記プリント基板は、前記低圧側二次端子金具に相応する位置に該プリント基板を厚み方向に貫通した孔または溝部を有し、
前記二次コイル用アース電極は前記孔または溝部に隣接する位置に形成され、前記低圧側二次端子金具は、前記プリント基板の孔または溝部内に挿入された状態で前記二次コイル用アース電極に半田付けされている請求項１に記載の内燃機関用点火装置。
【発明の詳細な説明】
【０００１】
【発明の属する技術分野】
本発明は、内燃機関を点火する点火装置に関するものである。
【０００２】
【従来の技術】
内燃機関用点火装置は、点火コイルと、内燃機関の点火時期に点火コイルの一次電流に急激な変化を生じさせて該点火コイルの二次コイルに点火用の高電圧を誘起させる点火ユニットとにより構成される。点火ユニットとしては、点火コイルの一次側に設けられて点火電源の出力により一方の極性に充電される点火用コンデンサと、点火タイミング信号が与えられたときに該点火用コンデンサの電荷を点火コイルの一次コイルを通して放電させる放電用スイッチとを備えて、コンデンサの放電により点火コイルの二次コイルに高電圧を誘起させるようにしたコンデンサ放電式の点火回路を有するものや、点火電源から点火コイルの一次コイルを通して流しておいた一次電流を点火時期に遮断することにより点火コイルの二次コイルに高電圧を誘起させるようにした電流遮断形の点火回路を備えたもの等が知られている。
【０００３】
図６ないし図９は従来の内燃機関用点火装置の構成例を示したもので、同図において１は点火コイル、２は点火ユニットである。
【０００４】
図６に見られるように、点火コイル１´は、一次ボビン１００に一次コイル１ａを巻回してなる一次コイルユニット１Ａと、二次ボビン１１０に二次コイル１ｂを巻回してなる二次コイルユニット１Ｂとからなっている。
【０００５】
一次ボビン１００は、コイル巻回用胴部１０１と該コイル巻回用胴部の軸線方向の一端側に設けられた鍔板部１０２とを一体に有する樹脂成型品からなっていて、コイル巻回用胴部１０１の鍔板部１０２側の端部、及び鍔板部１０２と反対側の端部にはそれぞれ二次ボビン位置決め用の鍔部１０３，１０４が形成されている。
【０００６】
一次ボビンの鍔板部１０２の一端側に片寄った位置からコイル巻回用胴部１０１と反対側に突出した状態で筒状の高圧コード接続部１０５ａが形成され、この高圧コード接続部内に木ネジ状の高圧側二次端子金具１０５が取り付けられている。鍔板部１０２の他端側には、リード状に形成された対の一次端子金具１０６，１０７と、アース端子金具１０８´とが同じ方向を向けた状態で、かつそれぞれの先端が鍔板部１０２の端部よりも突出した状態で取り付けられている。
【０００７】
一次コイル１ａはコイル巻回用胴部１０１の外周に巻回され、その巻き始め側の端末部１a1及び巻き終わり側の端末部１a2がそれぞれ一次端子金具１０６及び１０７に巻き付けられて半田付けされている。コイル巻回用胴部１０１の内側には帯板状の鋼板を積層したものからなる鉄心１２０が挿入されている。
【０００８】
二次ボビン１１０は、筒状に形成されていて、その外周側には、軸線方向に並ぶ多数の仕切壁１１１，１１１，…により仕切られたコイル巻回溝１１２，１１２，…が形成され、これらのコイル巻回部１１２，１１２，…にそれぞれ巻回された単位コイル１b0，１b0が順次直列に接続されて二次コイル１ｂが形成されている。
【０００９】
二次コイル１ｂを巻回した二次ボビン１１０は、その内周面の両端を一次ボビンの鍔部１０３，１０４の外周に嵌合させた状態で配置されて、一次コイル１ａに対して同心的に位置決めされている。
【００１０】
図９に示したように、一次ボビンの鍔板部１０２と反対側（一次ボビンの他端側）に位置する二次ボビン１１０の一端に鍔部１１３が形成され、該鍔部１１３に一部が埋め込まれた状態でＵ字形に形成された低圧側二次端子金具１１４´が取り付けられている。この低圧側二次端子金具１１４´の一端に二次コイル１ｂの巻き始め側の端末部１b1が半田付けされ、該端子金具１１４´の他端に渡り線１３０の一端１３０ａが半田付けされている。渡り線１３０は、二次ボビン１１０の内側を通して一次ボビン１００の鍔板部１０２側に導かれて該鍔板部に形成された切り欠き部から外部に導出され、外部に導出された渡り線１３０の他端１３０ｂがアース端子金具１０８´に半田付けされている。一次コイル１ａと渡り線との間を絶縁するため、一次コイル１ａの外周には、絶縁テープが巻き付けられている。二次コイル１ｂの巻き終わり側の端末部１b2は高圧側二次端子金具１０５ａの頭部に設けられた端子部１０５a1に半田付けされている。
【００１１】
点火ユニット２´は、内燃機関の点火時期に点火コイル１´の二次コイル１ｂに点火用の高電圧を誘起させるように、点火コイルの一次電流を制御する一次電流制御回路の構成部品２０１をプリント基板２０２に実装したもので、プリント基板２０２の一端側の裏面には、点火電源の非接地側の出力端子が接続される電源接続用端子電極２０３と、一次コイルの一端及び他端に接続される対の一次端子電極２０４，２０５と、アース線が接続されるアース端子電極２０６とが並べて設けられている。
【００１２】
プリント基板２０２は、点火コイル１´の側方に配置され、一次ホビンの鍔板部１０２に取り付けられた対の一次端子金具１０６，１０７及びアース端子金具１０８´がそれぞれプリント基板２０２の一次端子電極２０４，２０５及びアース端子電極２０６に半田付けされて、点火コイル１´と点火ユニット２´とが電気的及び機械的に接続されている。電源接続用端子電極２０３には図示しない点火電源に接続されるリード線１４０が接続され、アース端子電極１０８´にはアース線１５０が接続されている。
【００１３】
点火装置に耐候性をもたせるため、上記点火コイル１´及び点火ユニット２´は、図示しないケースに挿入され、該ケース内に注型された絶縁樹脂によりモールドされる。
【００１４】
【発明が解決しようとする課題】
上記のような内燃機関用点火装置においては、電源につながるリード線１４０とアース線１５０とを同じ側から導出する必要があるため、従来は、二次コイルの巻き始め側の端末部１b1に低圧側二次端子金具１１４´を介して渡り線１３０を接続して、該渡り線１３０を二次ボビンの内側を通してアース端子金具１０８´に接続するようにしていた。そのため、一次コイル１ａと渡り線１３０とを絶縁するために一次コイル１ａの外周に絶縁テープを巻く必要があり、点火コイルの組み立て工数が多くなるという問題があった。また渡り線１３０としては、半田付けを容易にするために、絶縁被覆が除去されたものを用いるため、二次コイルを巻回した二次ボビンを一次ボビンに組み付ける際に、一次コイルの外周に巻かれた絶縁テープが破れて渡り線１３０が一次コイル１ａの外周に接触すると、二次コイルの巻き始め側の端末部が一次コイルの外周に電気的に接続されて、一次、二次間の短絡事故が生じるおそれがあり、これが原因となって、製品の歩留りが悪くなったり、信頼性が低下したりするおそれがあった。
【００１５】
本発明の目的は、点火コイルの二次コイルの巻き始め側の端末部を渡り線を用いることなく点火ユニットに接続することができるようにして、点火コイルの組み立てを容易にするとともに、点火コイルの一次、二次間の短絡事故が生じるおそれをなくした内燃機関用点火装置を提供することにある。
【００１６】
【課題を解決するための手段】
本発明は、コイル巻回用胴部と該コイル巻回用胴部の軸線方向の一端側に設けられた鍔板部とを有する一次ボビンと、一次ボビンの鍔板部に取り付けられた対の一次端子金具及び高圧側二次端子金具と、一次ボビンのコイル巻回用胴部に巻回されて一端及び他端がそれぞれ対の一次端子金具の一方及び他方に接続された一次コイルと、一次コイルを囲むように配置された二次ボビンと、一次ボビンの他端側に位置する二次ボビンの一端に取り付けられた低圧側二次端子金具と、二次ボビンに巻回されて巻き始め側の端末部が低圧側二次端子金具に接続されるとともに巻き終わり側の端末部が高圧側二次端子金具に接続された二次コイルとを有する点火コイルと、内燃機関の点火時期に点火コイルの二次コイルに点火用の高電圧を誘起させるように点火コイルの一次電流を制御する一次電流制御回路の構成部品をプリント基板に実装してなる点火ユニットとを備えた内燃機関用点火装置を対象とする。
【００１７】
この種の点火装置では、点火電源の非接地側の出力端子が接続される電源接続用端子電極と一次コイルの一端及び他端に接続される対の一次端子電極とアース線が接続されるアース端子電極とが点火ユニットのプリント基板の一端側に並べて設けられて、点火コイルの対の一次端子金具がプリント基板の対の一次端子電極に半田付けされ、点火コイルの二次コイルの巻き始め側の端末部はプリント基板のアース電極に電気的に接続される。
【００１８】
本発明においては、アース端子電極に一端がつながり、他端が点火コイルの低圧側二次端子金具の近傍に達するアースパターンをプリント基板に設けて、該アースパターンの他端側に二次コイル用アース電極を形成し、点火コイルの低圧側二次端子金具を二次コイル用アース電極に直接半田付けするようにした。
【００１９】
本発明の好ましい実施態様では、上記プリント基板の低圧側二次端子金具に相応する位置に該プリント基板を厚み方向に貫通した孔または溝部を設けて、該孔または溝部に隣接する位置に二次コイル用アース電極を形成する。この場合、低圧側二次端子金具は、プリント基板の孔または溝部内に挿入された状態で二次コイル用アース電極に半田付けされる。
【００２０】
上記のように、プリント基板に二次コイル用アース電極を形成して、該二次コイル用アース電極に点火コイルの低圧側二次端子金具を直接半田付けするようにすると、渡り線を用いることなく、点火コイルの巻き始め側の端末部を点火ユニットに接続することができる。したがって、点火コイルの組み立てを容易にしてそのコストの低減を図ることができるだけでなく、点火コイルの一次、二次間で短絡が生じるおそれをなくして、製品の歩留りを向上させ、信頼性を向上させることができる。
【００２１】
【発明の実施の形態】
図１ないし図４は本発明に係わる内燃機関用点火装置の一実施形態を示したもので、これらの図において図６ないし図９に示した従来の点火装置の各部と同等の部分にはそれぞれ同一の符号を付してある。
【００２２】
図１ないし図４に示した点火装置は、点火コイル１と点火ユニット２とからなっている。点火コイル１は、一端に鍔板部１０２を有する一次ボビン１００のコイル巻回用胴部１０１に一次コイル１ａを巻回してなる一次コイルユニット１Ａと、二次ボビン１１０に二次コイル１ｂを分割巻きしてなる二次コイルユニット１Ｂとからなっていて、低圧側二次端子金具１１４が点火ユニット２側に設けられている点、及び図６ないし図９に示した従来の点火装置の点火コイルの一次ボビンに取り付けられていたアース端子金具１０８´と同様に形成された金具が、点火コイルと点火ユニット２とを連結する連結金具１０８として一次ボビンの鍔板部１０２に取り付けられている点を除き、従来の点火装置で用いられていた点火コイル１と同様に構成されている。
【００２３】
図４に示したように、低圧側二次端子金具１１４は、棒状に形成された第１の端子部１１４ａと、該第１の端子部１１４ａよりも長い第２の端子部１１４ｂと、これらの端子部の後端部側を相互に連結する連結部１１４ｃとを有するほぼＪ字形の形状に形成されていて、第１及び第２の端子部１１４ａ及び１１４ｂの先端を点火ユニット２側に向けた状態で二次ボビン１１０の鍔部１１３にその一部が埋め込まれて取り付けられている。低圧側二次端子金具１１４の第１の端子部１１４ａは、その先端が点火ユニットのプリント基板２０２よりも手前の位置で終端するようにその長さが設定され、第２の端子部１１４ｂは、その先端が一次端子金具１０６及び１０７の先端とほぼ同じ位置まで達するようにその長さが設定されている。低圧側二次端子金具１１４の第１の端子部１１４ａには点火コイルの二次コイル１ｂの巻き始め側の端末部１b1が巻き付けられて半田付けされている。
【００２４】
点火ユニット２は、一次電流制御回路（点火回路）の構成部品２０１をプリント基板２０２に実装したもので、プリント基板２０２は、その表面２０２ａを点火コイル１側に向けた状態で、点火コイルの一次端子金具１０６，１０７及び低圧側二次短資金具１１４が設けられた側の側方に、その板面を点火コイル１の軸線と平行にした状態で配置されている。
【００２５】
図示のプリント基板においては、その表面２０２ａに配線パターンが設けられ、裏面２０２ｂに一次電流制御回路回路を構成する電子部品の大部分が実装されている。基板の裏面に実装された各電子部品の端子はスルーホールを通して基板の表面側の配線パターンに接続されている。またプリント基板２０２の表面２０２ａには、点火回路を構成する電子部品のうち、後記する点火用コンデンサＣ1 が取り付けられている。
【００２６】
点火コイルの前面側（高圧コード接続部１０５が設けられた側）に向いたプリント基板２０２の一端の裏面には、一次端子電極２０４，２０５及びアース端子電極２０６が並べて形成されている。これらの電極２０４，２０５及び２０６はそれぞれ、点火コイル１の一次端子金具１０６，１０７及び連結金具１０８に相応する位置に設けられていて、これらの電極２０４，２０５及び２０６にそれぞれ点火コイルの一次ホビンに設けられた対の一次端子金具１０６，１０７及び連結金具１０８が半田付けされている。
【００２７】
図示の例では、一次端子金具１０６，１０７及び連結金具１０８のそれぞれの先端が鉤形（Ｊ字形）に形成されていて、これらの端子金具の先端がプリント基板２０２の裏面２０２ｂ側から一次端子電極２０４，２０５及びアース端子電極２０６にそれぞれ接続されている。
【００２８】
プリント基板２０２は、点火コイルの低圧側二次端子金具１１４の第２の端子部１１４ｂに相応する位置に、該プリント基板２０２を厚み方向に貫通した切欠き溝部２１０を有し、一次端子電極２０４，２０５及びアース端子電極２０６にそれぞれ一次端子金具１０６，１０７及び連結金具１０８の先端を半田付けして点火コイル１と点火ユニット２とを連結した状態で、低圧側二次端子金具１１４の第２の端子部１１４ｂが溝部２１０内に受け入れられるようになっている。プリント基板２０２の点火コイル１と反対側の面の、溝部２１０に隣接する領域に二次コイル用アース電極２０７が形成されている。
【００２９】
図２に示したように、プリント基板２０２の裏面２０２ｂには、プリント基板２０２の一辺に沿って伸びるアースパターン２１２が形成されていて、このアースパターンの一端はアース端子電極２０６に接続され、他端は二次コイル用アース電極２０７に接続されている。
【００３０】
プリント基板２０２の溝部２１０内に受け入れられた点火コイルの低圧側二次端子金具１１４の第２の端子部１１４ｂは、二次コイル用アース電極２０７に半田付けされている。
【００３１】
上記点火コイル１及び点火ユニット２は、図示しないケースに挿入されて、該ケース内に注型された絶縁樹脂によりモールドされる。
【００３２】
図５は、上記の点火ユニットの構成例を示した回路図で、同図において１は１次コイル１ａと二次コイル１ｂとを有する点火コイル、２は点火ユニット、３は図示しない内燃機関により駆動される磁石発電機内に設けられて一端が接地された点火電源としてのエキサイタコイルである。エキサイタコイル３は、内燃機関の回転に同期して、図示の実線矢印方向の正の半サイクルの電圧と、破線矢印方向の負の半サイクルの電圧とからなるの交流電圧を誘起する。
【００３３】
点火ユニット２は、公知のコンデンサ放電形の一次電流制御回路を備えたもので、一次端子電極２０５と一次端子金具１０７とを通して点火コイルの一次コイルの巻終り側の端末部１a2に一端が接続される点火用コンデンサＣ1 と、コンデンサＣ1 の他端にアノードが接続され、カソードが一次端子電極２０４と一次端子金具１０６とを通して点火コイルの一次コイルの巻き始め側の端末部１a1に接続される放電用スイッチとしてのサイリスタＴh1と、アノードが電源接続用端子電極２０３を通してエキサイタコイル３の非接地側端子に接続され、カソードがコンデンサＣ1 の他端に接続されたコンデンサ充電用ダイオードＤ1 と、点火コイルの一次コイル１ａの巻き始め側の端末部とサイリスタＴh1のカソードとがつながる共通ラインと接地ラインＬｅとの間にカソードを接地ライン側に向けて挿入されたダイオードＤ2 と、サイリスタＴh1に点火信号を与える点火信号供給回路２Ａとを備えている。アースラインＬｅの一端はアース端子電極２０６に接続されたアース線１５０を通して接地され、アースラインＬｅの他端は二次コイル用アース電極２０７と、低圧側二次端子金具１１４とを通して二次コイル１ｂの巻き始め側の端末部１b1に接続される。アースラインＬｅは、前記アースパターン２１２と、プリント基板の表面側に形成されたアースパターンとにより構成される。
【００３４】
図示の点火信号供給回路２Ａは、サイリスタＴh1のゲートにカソードが接続され、アノードが電流制限用抵抗Ｒ1 を通して接地ラインＬｅに接続された点火信号供給用ダイオードＤ3 と、サイリスタＴh1のカソードとエキサイタコイル３の非接地側端子との間にアノードをサイリスタＴh1のカソード側に向けて接続された帰還ダイオードＤ4 と、サイリスタＴh1のゲートカソード間に接続された抵抗Ｒ2 及びコンデンサＣ2 とからなっている。
【００３５】
点火コイルの二次コイル１ｂの巻き終り側の端末部（非接地側の端子）１b2は、高圧端子金具１０５ａと高圧コード接続部１０５に接続された図示しない高圧コードとを通して、機関の気筒に取り付けられた点火プラグ４の非接地側の端子に接続される。
【００３６】
図１の点火装置においては、エキサイタコイル３が発生する図示の実線矢印方向の正の半サイクルの出力電圧でダイオードＤ1 と点火コイルの一次コイル１ａとダイオードＤ2 とを通して点火用コンデンサＣ1 が図示の極性に充電される。エキサイタコイル３が、図示の破線矢印方向の負の半サイクルの電圧を発生すると、エキサイタコイル３−抵抗Ｒ1 −ダイオードＤ3 −サイリスタＴh1のゲートカソード間−ダイオードＤ4 −エキサイタコイル３の経路で電流が流れ、サイリスタＴh1のゲートに点火信号が与えられる。これによりサイリスタＴh1が導通するため、点火用コンデンサＣ1 の電荷がサイリスタＴh1と点火コイルの一次コイル１ａとを通して放電する。これにより点火コイル１の二次コイル１ｂに点火用高電圧が誘起する。
【００３７】
上記のコンデンサ放電式の点火ユニットにおいては、点火用コンデンサＣ1 が相当大形になるのを避けられないが、上記のように、点火用コンデンサＣ1 をプリント基板の表面側（点火コイル側）に点火コイルと並べて配置すると、点火コイルの側方に形成されるデッドスペースを有効に利用して部品を配置することができるため、部品をバランス良く配置して、点火装置の小形化を図ることができる。
【００３８】
上記のように、プリント基板２０２に二次コイル用アース電極２０７を形成して、この二次コイル用アース電極に点火コイルの低圧側二次端子金具１１４を直接半田付けするようにすると、渡り線を用いることなく、点火コイルの巻き始め側の端末部を点火ユニットに接続することができるため、点火コイルの組み立てを容易にして、その組み立て工数の削減を図ることができ、点火コイルのコストの低減を図ることができる。また、渡り線を用いないため、点火コイルの一次、二次間で短絡が生じるおそれをなくして、製品の歩留まりを向上させ、信頼性を向上させることができる。
【００３９】
また上記のように、点火コイルの前面側に設けた一次端子金具１０６，１０７と後面側に設けた低圧側二次端子金具１１４とをプリント基板２０２に半田付けするようにすると、点火コイルの前面側でのみ点火コイルとプリント基板とを接続していた、従来の点火装置に比べて、機械的強度を向上させることができ、点火コイルと点火ユニットとを接続した後、両者をモールドするまでの間に点火コイルと点火ユニットとに加わる外力により、点火コイルと点火ユニットとの接続部に無理な力が加わって、端子金具が破損するなどの不具合が生じるのを防ぐことができる。
【００４０】
上記の例では、点火コイルの低圧側二次端子金具をプリント基板２０２に形成した溝部２１０内に挿入して二次コイル用アース電極２０７に半田付けするようにしているが、このように構成すると、低圧二次端子金具１１４の二次コイル用アース電極２０７に対する位置決めを自動的に行うことができるため、低圧側二次端子金具１１４と二次コイル用アース電極２０７との半田付けを容易にすることができ、点火装置の組み立て作業の自動化を容易にすることができる。
【００４１】
なお上記の例では、低圧側二次端子金具２０７を挿入するためにプリント基板に溝部２１０を形成したが、この溝部２１０に代えて、プリント基板を厚み方向に貫通した孔を用いることもできる。
【００４２】
上記の例では、エキサイタコイル３の負の半波の誘起電圧を利用して点火用コンデンサを放電させるサイリスタＴh1に点火信号を与えるようにしているが、マイクロコンピュータなどを用いた点火時期制御回路からサイリスタＴh1に点火信号を与えるようにする場合にも本発明を適用することができる。
【００４３】
上記の例では、点火ユニット２として、コンデンサ放電式の点火回路を備えたものを用いたが、電流遮断形の点火回路を備えた点火ユニットを用いる場合にも本発明を適用することができるのはもちろんである。
【００４４】
上記の例のように、点火コイルの鍔板部に連結金具１０８を取付けて、この連結金具をプリント基板に連結するようにすると、点火コイルと点火ユニットとの連結を強固に行うことができるが、連結金具１０８は省略してもよい。
【００４５】
【発明の効果】
以上のように、本発明によれば、点火ユニットのプリント基板に二次コイル用アース電極を形成して、この二次コイル用アース電極に点火コイルに設けた低圧側二次端子金具を直接半田付けするようにしたので、渡り線を用いることなく、点火コイルの巻き始め側の端末部を点火ユニットのアース回路に接続することができる。したがって、点火コイルの組み立てを容易にして、その組み立て工数の削減を図ることができ、コストの低減を図ることができる。
【００４６】
また、本発明によれば、渡り線を用いないため、点火コイルの一次、二次間で短絡が生じるおそれをなくして、製品の歩留まりを向上させ、信頼性を向上させることができる利点がある。
【図面の簡単な説明】
【図１】本発明に係わる点火装置の構成例を、その点火コイルの部分を断面して示した正面図である。
【図２】図１の点火装置の左側面図である。
【図３】図１の点火装置の平面図である。
【図４】図１の点火装置の底面図である。
【図５】図１の点火装置で用いる点火ユニットの構成例を示した回路図である。
【図６】従来の点火装置の構成を、その点火コイルの部分を断面して示した正面図である。
【図７】図６の点火装置の左側面図である。
【図８】図６の点火装置の平面図である。
【図９】図６の点火装置の底面図である。
【符号の説明】
１…点火コイル、１Ａ…一次コイルユニット、１ａ…一次コイル、１Ｂ…二次コイルユニット、１ｂ…二次コイル、１００…一次ボビン、１０１…コイル巻回用胴部、１０６，１０７…一次端子金具、１０８…連結金具、１１０…二次ボビン、１１４…低圧側二次端子金具、２…点火ユニット、２０２…プリント基板、２０３…電源接続用電極、２０４，２０５…一次端子電極、２０６…アース端子電極、２０７…二次コイル用アース電極、２１２…アースパターン、３…エキサイタコイル。
【図１】
0003714125.tif 000002
【図２】
0003714125.tif 000003
【図３】
0003714125.tif 000004
【図４】
0003714125.tif 000005
【図５】
0003714125.tif 000006
【図６】
0003714125.tif 000007
【図７】
0003714125.tif 000008
【図８】
0003714125.tif 000009
【図９】
0003714125.tif 000010